(57)【要約】【課題】接続作業を容易に行うことができる線状コンタクト及び絶縁性線状体を備えたコネクタを提供すること。【解決手段】インシュレータ１１と、インシュレータ１１に保持される複数の線状コンタクト１３と、インシュレータ１１に保持される弾性を有する絶縁性線状体１５とを備えているレセプタクルコネクタ１０において、インシュレータ１１に線状コンタクト１３と絶縁性線状体１５とを交互に、しかも隣接して配列した。【選択図】        図１
2005032504.tif 000002
【特許請求の範囲】
【請求項１】
インシュレータと、このインシュレータに保持される複数の線状コンタクトと、前記インシュレータに保持される弾性を有する絶縁性線状体とを備え、
前記線状コンタクトと前記絶縁性線状体とが交互に、しかも隣接して配列されていることを特徴とするコネクタ。
【請求項２】
前記線状コンタクトと前記絶縁性線状体とをそれぞれ位置決めする位置決め部が前記インシュレータに設けられていることを特徴とする請求項１記載のコネクタ。
【請求項３】
前記位置決め部がコネクタ嵌合・離脱方向とほぼ平行に延びる溝であることを特徴とする請求項２記載のコネクタ。
【請求項４】
一方の接続対象物に固着させるホールドダウン部を有し、前記線状コンタクトと前記絶縁性線状体とが保持された前記インシュレータの周囲を囲むように前記インシュレータに装着される補強部材を備えていることを特徴とする請求項１、２又は３記載のコネクタ。
【発明の詳細な説明】
【０００１】
【発明の属する技術分野】
この発明はコネクタに関し、特に線状コンタクトと絶縁性線状体とが交互に配列されたコネクタに関する。
【０００２】
【従来の技術】
従来、線状コンタクトと絶縁性線状体とが交互に配列されたコネクタとして、織物体からなるコネクタが知られている（下記特許文献１参照）。
【０００３】
織物体は縦糸である第１の絶縁性糸に、横糸である導電性糸と第２の絶縁性糸とを交互に織り込むことにより形成されている。
【０００４】
第１の絶縁性糸は弾性を有する合成樹脂等の材料から形成されている。導電性糸は銅、ステンレス鋼等の金属導電材料から形成されている。導電性糸は第１の絶縁性糸より小径である。第２の絶縁性糸は合成樹脂等の材料から形成されている。第２の絶縁性糸は導電性糸と同径又は若干小径である。導電性糸と第２の絶縁性糸とは接着剤により互いに接着されている。
【０００５】
この織物体からなるコネクタは第１のプリント基板と第２のプリント基板との間に配置され、両プリント基板を互いに電気的に接続する。このときボルト等の係止手段によって両プリント基板が織物体からなるコネクタを挟み付ける。
【０００６】
【特許文献１】
特開２０００−１６４２７８号公報（段落００１２〜１４、００１８、図１）
【０００７】
【発明が解決しようとする課題】
上述のように従来のコネクタではプリント基板同士を電気的に接続するために係止手段を用いなければならないので、作業性が悪かった。
【０００８】
この発明はこのような事情に鑑みてなされたもので、その課題は線状コンタクトと絶縁性線状体とが交互に配列されたコネクタにおいて２つの接続対象物同士を容易に接続することができるコネクタを提供することである。
【０００９】
【課題を解決するための手段】
前述の課題を解決するため請求項１の発明のコネクタは、インシュレータと、このインシュレータに保持される複数の線状コンタクトと、前記インシュレータに保持される弾性を有する絶縁性線状体とを備え、前記線状コンタクトと前記絶縁性線状体とが交互に、しかも隣接して配列されていることを特徴とする。
【００１０】
上述のように線状コンタクトと絶縁性線状体とが交互に、しかも隣接してインシュレータに配列されているので、インシュレータを相手側コネクタのインシュレータに嵌合させたとき、線状コンタクトが絶縁性線状体の弾性力によって相手側コネクタのコンタクトに接触した状態が保たれる。
【００１１】
請求項２の発明は、請求項１記載のコネクタにおいて、前記線状コンタクトと前記絶縁性線状体とをそれぞれ位置決めする位置決め部が前記インシュレータに設けられていることを特徴とする。
【００１２】
上述のように線状コンタクトと絶縁性線状体とをそれぞれ位置決めする位置決め部がインシュレータに設けられているので、線状コンタクト及び絶縁性線状体の位置が大きくずれない。
【００１３】
請求項３の発明は、請求項２記載のコネクタにおいて、前記位置決め部がコネクタ嵌合・離脱方向とほぼ平行に延びる溝であることを特徴とする。
【００１４】
上述のように位置決め部がコネクタ嵌合・離脱方向とほぼ平行に延びる溝であるので、この溝で線状コンタクト及び絶縁性線状体の大きな位置ずれが抑制される。
【００１５】
請求項４の発明は、請求項１、２又は３記載のコネクタにおいて、一方の接続対象物に固着させるホールドダウン部を有し、前記線状コンタクトと前記絶縁性線状体とが保持された前記インシュレータの周囲を囲むように前記インシュレータに装着される補強部材を備えていることを特徴とする。
【００１６】
上述のように線状コンタクトと絶縁性線状体とが保持されたインシュレータの周囲を囲むようにインシュレータに装着される補強部材を採用したので、インシュレータが確実に接続対象物に固着される。また、インシュレータを相手側コネクタのインシュレータに嵌合させたとき、補強部材によってインシュレータの変形が抑制される。
【００１７】
【発明の実施の形態】
以下、この発明の実施の形態を図面に基づいて説明する。
【００１８】
図１はこの発明の一実施形態に係るレセプタクルコネクタ及びプラグコネクタの嵌合前の状態の斜視図、図２は図１に示すレセプタクルコネクタとプラグコネクタとを嵌合させ、それらの一部分を切除した状態の斜視図、図３は図２の仮想平面Ａで線状コンタクト及び絶縁性線状体の上部を切除した状態を示す斜視図、図４は図２のＩＶ−ＩＶ線に沿う断面図、図５は図４のＶ−Ｖ線に沿う断面図、図６は図５のＢ部の拡大図、図７は図１に示すレセプタクルコネクタ及びプラグコネクタの線状コンタクトに作用する力を示す概念図、図８は図１に示すレセプタクルコネクタ及びプラグコネクタの線状コンタクトに作用する力のベクトルを示す概念図である。
【００１９】
図１に示すように、レセプタクルコネクタ１０はインシュレータ１１と線状コンタクト１３と絶縁性線状体１５とホールドダウン１７とを備える。
【００２０】
インシュレータ１１は絶縁材料から形成され、上面が開口した筐体状であり、底部１１１と側壁部１１２，１１２，１１３，１１３とを有する。
【００２１】
底部１１１には互いに平行な溝１１１ａが形成されている（図４参照）。底部１１１には溝１１１ａに隣接するように収容凹部１１１ｂが形成されている。
【００２２】
側壁部１１２は溝１１１ａに隣接している。側壁部１１２の中間部には巻付け部１１２ａが形成されている。巻付け部１１２ａは側壁部１１２の両端部よりも薄く、その断面形状はほぼＵ字形である。巻付け部１１２ａには複数のＶ字状の位置決め溝（位置決め部）１１２ｂが巻付け部１１２ａの内側面から外側面にかけて形成されている（図６参照）。巻付け部１１２ａの上部に形成された部分を除き、位置決め溝１１２ｂはレセプタクルコネクタ１０に対するプラグコネクタ３０の嵌合・離脱方向ａとほぼ平行である。
【００２３】
側壁部１１２の両端部の上面及び側壁部１１３の上面には、プラグコネクタ３０をインシュレータ１１内に誘い込みやすくするための傾斜面１１２ｃ，１１３ｃが形成されている。
【００２４】
線状コンタクト１３は単芯の細線ワイヤであり、導電性を有する。
【００２５】
絶縁性線状体１５はエラストマから形成され、弾性を有する。
【００２６】
ホールドダウン１７は枠状であり、インシュレータ１１の外周面に装着されている。ホールドダウン１７は線状コンタクト１３及び絶縁性線状体１５を巻付け部１１２ａに押し付け、線状コンタクト１３及び絶縁性線状体１５が巻付け部１１２ａから離れるのを防いでいる。ホールドダウン１７はホールドダウン部１７ａを有する。ホールドダウン部１７ａはプリント基板５０のパッド５２に半田付けされる。
【００２７】
ホールドダウン１７は金属製であるので、線状コンタクト１３とホールドダウン１７とを絶縁するために、線状コンタクト１３及び絶縁性線状体１５とホールドダウン１７との間には短冊状の絶縁フィルム１９が配置されている。
【００２８】
レセプタクルコネクタ１０の組立にあたっては、まず、線状コンタクト１３と絶縁性線状体１５とを交互に隣接させて並べる（図３参照）。この状態で線状コンタクト１３及び絶縁性線状体１５の一端部を溝１１１ａ内に挿入し、固定する。
【００２９】
次に、線状コンタクト１３及び絶縁性線状体１５をそれぞれ位置決め溝１１２ｂ内を這わせて巻付け部１１２ｂに巻き付ける。その後、線状コンタクト１３及び絶縁性線状体１５が巻き付けられたインシュレータ１１にホールドダウン１７を装着する。このとき、線状コンタクト１３及び絶縁性線状体１５とホールドダウン１７との間に絶縁フィルム１９を介在させる。このようにホールドダウン１７をインシュレータ１１に装着すれば、線状コンタクト１３及び絶縁性線状体１５は確実にインシュレータ１１とホールドダウン１７とによって保持される。
【００３０】
最後に、線状コンタクト１３の他端部をプリント基板５０の導体パターン５１に対向するように折り曲げる。
【００３１】
以上のようにして組み立てられたレセプタクルコネクタ１０はリフロー半田付けによってプリント基板５０に実装される。このリフロー半田付けのとき、線状コンタクト１３が導体パターン５１に半田付けされるとともに、ホールドダウン１７のホールドダウン部１７ａがプリント基板５０のパッド５２に半田付けされる。ホールドダウン部１７ａがパッド５２に半田付けされることにより、レセプタクルコネクタ１０はプリント基板５０により確実に固定される。
【００３２】
次に、レセプタクルコネクタ１０の相手側コネクタであるプラグコネクタ３０に付いて説明する。
【００３３】
図１に示すように、プラグコネクタ３０はインシュレータ３１と線状コンタクト３３と絶縁性線状体３５とを備える。
【００３４】
インシュレータ３１は絶縁材料から形成され、上面が開口した筐体状であり、底部３１１と側壁部３１２，３１２，３１３，３１３とを有する。
【００３５】
底部３１１はプラグコネクタ３０がレセプタクルコネクタ１０に嵌合したとき、レセプタクルコネクタ１０の底部１１１に突き当たる（図２参照）。底部３１１には互いに平行な溝３１１ａが形成されている（図４参照）。
【００３６】
側壁部３１２は溝３１１ａに隣接している。側壁部３１２の断面形状はＵ字形である。プラグコネクタ３０をレセプタクルコネクタ１０に嵌合したとき、側壁部３１２は側壁部１１２に対向する（図２参照）。側壁部３１２には複数のＶ字状の位置決め溝（位置決め部）３１２ｂが側壁部３１２の内側面から外側面にかけて形成されている（図６参照）。側壁部３１２の上部に形成された部分を除き、位置決め溝３１２ｂはレセプタクルコネクタ１０に対するプラグコネクタ３０の嵌合・離脱方向ａと平行である。位置決め溝３１２ｂの配列ピッチは位置決め溝１１２ｂの配列ピッチに等しい。但し、プラグコネクタ３０をレセプタクルコネクタ１０に嵌合したとき、位置決め溝３１２ｂは位置決め溝１１２ｂに対して配列ピッチの半分の長さだけ配列ピッチ方向へずれている（図６参照）。
【００３７】
プラグコネクタ３０をレセプタクルコネクタ１０に嵌合したとき、側壁部３１３は側壁部１１３に対向する（図５参照）。
【００３８】
線状コンタクト３３は単芯の細線ワイヤであり、導電性を有する。
【００３９】
絶縁性線状体３５はエラストマから形成され、弾性を有する。
【００４０】
プラグコネクタ３０の組立にあたっては、まず、線状コンタクト３３と絶縁性線状体３５とを交互に隣接させて並べる（図３参照）。この状態で線状コンタクト３３及び絶縁性線状体３５の一端部を溝３１１ａ内に挿入し、固定する。次に、線状コンタクト３３及び絶縁性線状体３５をそれぞれ位置決め溝３１２ｂ内を這わせて側壁部３１２に巻き付ける。最後に、線状コンタクト３３の他端部をプリント基板７０の導体パターン（図示せず）に対向するように折り曲げる。
【００４１】
以上のようにして組み立てられたプラグコネクタ３０はリフロー半田付けによってプリント基板７０に実装される。このリフロー半田付けのとき、線状コンタクト３３がプリント基板７０の導体パターンに半田付けされる。
【００４２】
プリント基板５０とプリント基板７０とを電気的に接続するには、図１に示す状態から図２に示すようにプラグコネクタ３０をレセプタクルコネクタ１０に嵌合するだけでよく、従来例のようにプリント基板５０，７０同士を係止手段で係止する必要はない。
【００４３】
プラグコネクタ３０の側壁部３１２に巻かれた線状コンタクト３３及び絶縁性線状体３５がレセプタクルコネクタ１０の収容凹部１１１ｂ内に挿入されたとき、線状コンタクト１３，３３は、図７に示すように、それぞれ絶縁性線状体１５，３５によって挟まれ、絶縁性線状体１５，３５の弾性力Ｆｒ１、Ｆｒ２，Ｆｐ１，Ｆｐ２によって押圧され、また、弾性力Ｆｒ２，Ｆｐ２の反力Ｒｒ，Ｒｐが生じる。線状コンタクト１３には、図８に示すように、ベクトルＶで表わされる力が生じ、そのｘ方向（線状コンタクト１３の中心軸と線状コンタクト３３の中心軸とを最短に結ぶ仮想直線に平行な方向）の分力Ｖｘが線状コンタクト１３の線状コンタクト３３に対する接触力となる。ベクトルＶで表わされる力のｙ方向（ｘ方向及び中心軸に直交する方向）の分力Ｖｙは線状コンタクト１３を側壁部１１２に押し付ける力となる。線状コンタクト３３にもベクトルＶ´で表わされる力が生じる。それは分力Ｖｘ´と分力Ｖｙ´とに分けることができる。ベクトルＶ´で表わされる力はベクトルＶで表わされる力と同じ大きさで、向きが逆である。分力Ｖｘ´は分力Ｖｘと同じ大きさで、向きが逆であり、線状コンタクト３３の線状コンタクト１３に対する接触力となる。同様に、分力Ｖｙ´は分力Ｖｙと同じ大きさで、向きが逆であり、線状コンタクト３３を側壁部３１２に押し付ける力となる。
【００４４】
以上のようにこの実施形態によれば、レセプタクルコネクタ１０のインシュレータ１１にプラグコネクタ３０のインシュレータ３１を嵌合させたとき、絶縁性線状体１５，３５の弾性力によって線状コンタクト１３，３３同士が接触した状態を保つので、高い接触力を得るための係止手段が不必要になり、プリント基板５０，７０同士を容易に接続することができる。
【００４５】
上述のようにレセプタクルコネクタ１０では線状コンタクト１３と絶縁性線状体１５とを位置決めする位置決め溝１１２ｂがインシュレータ１１に形成されており、プラグコネクタ３０では線状コンタクト３３と絶縁性線状体３５とを位置決めする位置決め溝３１２ｂがインシュレータ３１に形成されているので、プラグコネクタ３０をレセプタクルコネクタ１０に嵌合したときに線状コンタクト１３，３３及び絶縁性線状体１５，３５の位置が大きくずれない。したがって、プラグコネクタ３０をレセプタクルコネクタ１０に嵌合したとき、線状コンタクト１３，３３同士が確実に接触するので、信頼性に富む。
【００４６】
上述のようにレセプタクルコネクタ１０はホールドダウン部１７ａを有するホールドダウン１７を備えているので、レセプタクルコネクタ１０を確実にプリント基板５０に固着することができる。また、レセプタクルコネクタ１０のインシュレータ１１にプラグコネクタ３０のインシュレータ３１を嵌合させたとき、ホールドダウン１７によってインシュレータ１１の変形が抑制されるので、インシュレータ１１の強度を高めることができる。
【００４７】
なお、この実施形態では位置決め溝１１２ｂ，３１２ｂは嵌合・離脱方向ａとほぼ平行であるが、必ずしもこのように構成する必要はない。
【００４８】
また、線状コンタクト１３，３３及び絶縁性線状体１５，３５をそれぞれ位置決めする位置決め部として位置決め溝１１２ｂ，３１２ｂを採用したが、位置決め部は位置決め溝１１２ｂ，３１２ｂに限られない。
【００４９】
なお、レセプタクルコネクタ１０の相手側コネクタとして線状コンタクト３３と絶縁性線状体３５とが交互に、しかも隣接して配列されたプラグコネクタ３０を採用したが、レセプタクルコネクタ１０の相手側コネクタはプラグコネクタ３０に限られず、インシュレータにピンコンタクトを配列した一般的なプラグコネクタ（図示せず）を採用することもできる。
【００５０】
また、プラグコネクタ３０の相手側コネクタとしてはレセプタクルコネクタ１０に限られず、一般的なレセプタクルコネクタ（図示せず）を採用することもできる。
【００５１】
【発明の効果】
以上説明したように請求項１の発明のコネクタによれば、インシュレータを相手側コネクタのインシュレータに嵌合させたとき、線状コンタクトが絶縁性線状体の弾性力によって相手側コネクタのコンタクトに接触した状態が保たれるので、高い接触力を得るための係止手段が不必要になり、２つの接続対象物同士を容易に接続することができる。
【００５２】
請求項２の発明のコネクタによれば、線状コンタクト及び絶縁性線状体の位置が大きくずれないので、線状コンタクトを相手側コネクタのコンタクトに確実に接触させることができる。
【００５３】
請求項３の発明のコネクタによれば、線状コンタクト及び絶縁性線状体の位置決め部である溝で線状コンタクト及び絶縁性線状体の大きな位置ずれが抑制され、線状コンタクトを相手側コンタクトのコンタクトに確実に接触させることができる。
【００５４】
請求項４の発明のコネクタによれば、補強部材によってインシュレータを確実に接続対象物に固着することができる。また、補強部材によってインシュレータの変形を抑制してインシュレータの強度を高めることができる。
【図面の簡単な説明】
【図１】図１はこの発明の一実施形態に係るレセプタクルコネクタ及びプラグコネクタの嵌合前の状態の斜視図である。
【図２】図２は図１に示すレセプタクルコネクタとプラグコネクタとを嵌合させ、それらの一部分を切除した状態の斜視図である。
【図３】図３は図２の仮想平面Ａで線状コンタクト及び絶縁性線状体の上部を切除した状態を示す斜視図である。
【図４】図４は図２のＩＶ−ＩＶ線に沿う断面図である。
【図５】図５は図４のＶ−Ｖ線に沿う断面図である。
【図６】図６は図５のＢ部の拡大図である。
【図７】図７は図１に示すレセプタクルコネクタ及びプラグコネクタの線状コンタクトに作用する力を示す概念図である。
【図８】図８は図１に示すレセプタクルコネクタ及びプラグコネクタの線状コンタクトに作用する力のベクトルを示す概念図である。
【符号の説明】
１０  レセプタクルコネクタ
１１  インシュレータ
１１２ｂ  位置決め溝（位置決め部）
１３  線状コンタクト
１５  絶縁性線状体
１７  ホールドダウン（補強部材）
１７ａ  ホールドダウン部
３０  プラグコネクタ
３１  インシュレータ
３１２ｂ  位置決め溝（位置決め部）
３３  線状コンタクト
３５  絶縁性線状体
【図１】
2005032504.tif 000003
【図２】
2005032504.tif 000004
【図３】
2005032504.tif 000005
【図４】
2005032504.tif 000006
【図５】
2005032504.tif 000007
【図６】
2005032504.tif 000008
【図７】
2005032504.tif 000009
【図８】
2005032504.tif 000010